(57)【特許請求の範囲】
【請求項１】
複数の誘電体層と複数の内部電極とが積層されることによって形成された素体と、素体の外表面に配置された複数の端子電極と、を備えた積層コンデンサアレイであって、
前記素体は、前記誘電体層を介して互いに対向して配置される第一及び第二内部電極を前記複数の内部電極として含む第一コンデンサ部と、前記誘電体層を介して互いに対向して配置される第三及び第四内部電極を前記複数の内部電極として含み且つ前記素体の積層方向で前記第一コンデンサ部と併置される第二コンデンサ部と、を有すると共に、前記外表面として、前記積層方向で互いに対向する第一及び第二主面と、前記第一主面と前記第二主面とを連結し且つ互いに対向する第一及び第二側面と、を有し、
前記複数の端子電極は、前記積層方向と前記第一側面と前記第二側面との対向方向とに直交する第一方向に互いに離れて前記第一側面に配置され且つ第一極性が割り当てられる複数の第一端子電極と、前記第一方向に互いに離れて前記第二側面に配置され且つ第二極性が割り当てられる複数の第二端子電極と、を含み、
前記第一コンデンサ部における電流の向きと前記第二コンデンサ部における電流の向きとが前記積層方向から見て交差するように、前記第一内部電極と前記第三内部電極はそれぞれ異なる前記第一端子電極に接続され、前記第二内部電極と前記第四内部電極とはそれぞれ異なる前記第二端子電極に接続されており、
前記第二コンデンサ部の静電容量が前記第一コンデンサ部の静電容量よりも小さく、
前記第一主面が実装面と規定され、前記第二コンデンサ部は、前記第一コンデンサ部よりも前記第一主面側に位置していることを特徴とする積層コンデンサアレイ。
【請求項２】
前記第一コンデンサ部に含まれる前記第一及び第二内部電極のうち前記第二コンデンサ部に最も近い内部電極と、前記第二コンデンサ部に含まれる前記第三及び第四内部電極のうち前記第一コンデンサ部に最も近い内部電極と、の間隔は、前記第一コンデンサ部における前記第一内部電極と前記第二内部電極との間隔及び前記第二コンデンサ部における前記第三内部電極と前記第四内部電極との間隔よりも大きいことを特徴とする請求項１に記載の積層コンデンサアレイ。
【請求項３】
前記第一コンデンサ部の前記第一内部電極と前記第二コンデンサ部の前記第三内部電極とが前記積層方向で隣り合う、又は、前記第一コンデンサ部の前記第二内部電極と前記第二コンデンサ部の前記第四内部電極とが前記積層方向で隣り合うことを特徴とする請求項１又は２に記載の積層コンデンサアレイ。
【請求項４】
前記第一内部電極の面積が前記第二内部電極の面積よりも大きく、且つ、前記第三内部電極の面積が前記第四内部電極の面積よりも大きいことを特徴とする請求項１〜３のいずれか一項に記載の積層コンデンサアレイ。
【発明の詳細な説明】
【技術分野】
【０００１】
本発明は、積層コンデンサアレイに関する。
【背景技術】
【０００２】
複数の誘電体層と複数の内部電極とが積層されることによって形成された素体と、素体の外表面に配置された複数の端子電極と、を備えた積層コンデンサアレイが知られている（たとえば、特許文献１（図１）参照）。
【先行技術文献】
【特許文献】
【０００３】
【特許文献１】特開２００６−１３５３３３号公報
【発明の概要】
【発明が解決しようとする課題】
【０００４】
ところで、積層コンデンサアレイでは、その用途によって、広い周波数帯域にわたって低インピーダンスであることが求められることがある。たとえば、ノイズ除去のため電子機器の電源回路等に挿入される積層コンデンサアレイは、広い周波数帯域でノイズ除去の効果を発揮することが要求される。広い周波数帯域でノイズを効果的に除去できるよう、用いられる積層コンデンサアレイでは広い周波数帯域にわたって低インピーダンスであることが求められる。
【０００５】
また、電子機器等の小型化にともなって、これらに搭載される積層コンデンサアレイにも小型化の要求が高まっている。積層コンデンサアレイの小型化を図る場合、端子電極間の距離が短くなるため、積層コンデンサアレイの実装時にショート不良が生じる懼れがある。
【０００６】
本発明は、このような課題を解決するためになされたものであり、ショート不良を防止できると共に、広い周波数帯域にわたって低インピーダンスである積層コンデンサアレイを提供すること目的とする。
【課題を解決するための手段】
【０００７】
本発明に係る積層コンデンサアレイは、複数の誘電体層と複数の内部電極とが積層されることによって形成された素体と、素体の外表面に配置された複数の端子電極と、を備えた積層コンデンサアレイであって、素体は、誘電体層を介して互いに対向して配置される第一及び第二内部電極を複数の内部電極として含む第一コンデンサ部と、誘電体層を介して互いに対向して配置される第三及び第四内部電極を複数の内部電極として含み且つ素体の積層方向で第一コンデンサ部と併置される第二コンデンサ部と、を有すると共に、外表面として、積層方向で互いに対向する第一及び第二主面と、第一主面と第二主面とを連結し且つ互いに対向する第一及び第二側面と、を有し、複数の端子電極は、積層方向と第一側面と第二側面との対向方向とに直交する第一方向に互いに離れて第一側面に配置され且つ第一極性が割り当てられる複数の第一端子電極と、第一方向に互いに離れて第二側面に配置され且つ第二極性が割り当てられる複数の第二端子電極と、を含み、第一コンデンサ部における電流の向きと第二コンデンサ部における電流の向きとが積層方向から見て交差するように、第一内部電極と第三内部電極はそれぞれ異なる第一端子電極に接続され、第二内部電極と第四内部電極とはそれぞれ異なる第二端子電極に接続されており、第二コンデンサ部の静電容量が第一コンデンサ部の静電容量よりも小さいことを特徴とする。
【０００８】
本発明に係る積層コンデンサアレイでは、たとえば、第一及び第二コンデンサ部を並列に接続する場合、第一及び第二コンデンサ部の静電容量が互いに異なるので、積層コンデンサアレイとして２つの自己共振周波数を有することとなる。よって、広い周波数帯域においてインピーダンスを抑制することができる。
【０００９】
本発明に係る積層コンデンサアレイでは、各内部電極と各端子電極との接続に関し、第一コンデンサ部における電流の向きと第二コンデンサ部における電流の向きとが積層方向から見て交差するように、第一内部電極と第三内部電極はそれぞれ異なる第一端子電極に接続され、第二内部電極と第四内部電極とはそれぞれ異なる第二端子電極に接続されている。第一及び第二コンデンサ部に流れる電流の向きが交差することにより、各電流による磁界が互いに相殺する方向に生じる。これにより、積層コンデンサアレイの等価直列インダクタンス（以下「ＥＳＬ」と称す）が低減され、２つの自己共振周波数がより高周波側にシフトすると共にインピーダンスが小さくなる。よって、より一層広い周波数帯域においてインピーダンスを抑制することができる。
【００１０】
また、本発明に係る積層コンデンサアレイでは、上記第一方向に互いに離れて第一側面に配置された複数の第一端子電極に、第一極性が割り当てられ、上記第一方向に互いに離れて第二側面に配置された複数の第二端子電極に、第二極性が割り当てられることとなる。したがって、積層コンデンサアレイの小型化により端子電極間の距離が短くなっても、積層コンデンサアレイの実装時におけるショート不良を防止することができる。
【００１１】
第一主面が実装面と規定され、第二コンデンサ部は、第一コンデンサ部よりも第一主面側に位置していてもよい。第二コンデンサ部は、第一コンデンサ部よりも静電容量が小さいため、自己共振周波数が高い。第二コンデンサ部が、実装面として規定される第一主面側に位置することにより、第二コンデンサ部に流れる電流により形成される電流ループの距離が短くなる。したがって、積層コンデンサアレイのＥＳＬ、特に、第二コンデンサ部のＥＳＬが低減され、より一層広い周波数帯域においてインピーダンスを抑制することができる。
【００１２】
第一コンデンサ部に含まれる第一及び第二内部電極のうち第二コンデンサ部に最も近い内部電極と、第二コンデンサ部に含まれる第三及び第四内部電極のうち第一コンデンサ部に最も近い内部電極と、の間隔は、第一コンデンサ部における第一内部電極と第二内部電極との間隔及び第二コンデンサ部における第三内部電極と第四内部電極との間隔よりも大きくてもよい。この場合、第一コンデンサ部と第二コンデンサ部とが分離されることとなる。よって、より広い周波数帯域においてインピーダンスを確実に抑制することができる。
【００１３】
第一コンデンサ部の第一内部電極と第二コンデンサ部の第三内部電極とが積層方向で隣り合う、又は、第一コンデンサ部の第二内部電極と第二コンデンサ部の第四内部電極とが積層方向で隣り合っていてもよい。この場合、同じ極性となる内部電極同士が積層方向で隣り合うため、第一コンデンサ部と第二コンデンサ部とがより一層確実に分離される。よって、より広い周波数帯域においてインピーダンスをより一層確実に抑制することができる。
【００１４】
第一内部電極の面積が第二内部電極の面積よりも大きく、且つ、第三内部電極の面積が第四内部電極の面積よりも大きくてもよい。この場合、積層ずれなどに起因して生じる静電容量のばらつきを抑制することができる。特に、第一コンデンサ部の第一内部電極と第二コンデンサ部の第三内部電極とが積層方向で隣り合う場合には、第一コンデンサ部と第二コンデンサ部とをより一層確実に分離することができる。
【発明の効果】
【００１５】
本発明によれば、ショート不良を防止できると共に、広い周波数帯域にわたって低インピーダンスである積層コンデンサアレイを提供することができる。
【図面の簡単な説明】
【００１６】
【図１】本実施形態に係る積層コンデンサアレイの斜視図である。
【図２】図１におけるＩＩ−ＩＩ線に沿った断面構成を説明するための図である。
【図３】第一及び第二内部電極を示す図である。
【図４】第三及び第四内部電極を示す図である。
【図５】本実施形態の積層コンデンサアレイ及び比較例に係る積層コンデンサアレイの実装構造を説明するための図である。
【図６】本実施形態の積層コンデンサアレイ及び比較例に係る積層コンデンサアレイの挿入損失の周波数特性を示したグラフである。
【図７】本実施形態の積層コンデンサアレイの実装構造を説明するための図である。
【図８】本実施形態の変形例に係る積層コンデンサアレイの断面構成を説明するための図である。
【図９】本実施形態の別の変形例に係る積層コンデンサアレイの断面構成を説明するための図である。
【発明を実施するための形態】
【００１７】
以下、添付図面を参照して、本発明の好適な実施形態について詳細に説明する。なお、説明において、同一要素又は同一機能を有する要素には、同一符号を用いることとし、重複する説明は省略する。
【００１８】
図１〜図４を参照して、本実施形態に係る積層コンデンサアレイの構成について説明する。図１は、本実施形態に係る積層コンデンサアレイの斜視図である。図２は、本実施形態に係る積層コンデンサアレイの分解斜視図である。図３は、第一及び第二内部電極を示す図であり、図４は、第三及び第四内部電極を示す図である。
【００１９】
積層コンデンサアレイ１は、図１及び図２に示されているように、素体２と素体２の外表面に配置された複数の端子電極３と、を備えている。
【００２０】
素体２は、略直方体状であり、第一及び第二主面２ａ，２ｂ並びに第一、第二、第三及び第四側面２ｃ，２ｄ，２ｅ，２ｆを有している。第一及び第二主面２ａ，２ｂは、互いに対向しており、長方形状を呈している。第一及び第二側面２ｃ，２ｄは、第一及び第二主面２ａ，２ｂを連結するように延び且つ互いに対向している。第一及び第二側面２ｃ，２ｄは、第一及び第二主面２ａ，２ｂの長辺方向に沿って延びている。第三及び第四側面２ｅ，２ｆは、第一及び第二主面２ａ，２ｂを連結するように延び且つ互いに対向している。第三及び第四側面２ｅ，２ｆは、第一及び第二主面２ａ，２ｂの短辺方向に沿って延びている。本実施形態では、第一主面２ａが、他の部品（たとえば、回路基板や電子部品など）に対する実装面として規定される。以下の説明において、素体２が延びる方向を長手方向Ｄ１とし、誘電体層４の平面方向において長手方向Ｄ１と直交する方向を短手方向Ｄ２とし、誘電体層４が積層される方向を積層方向Ｄ３とする。長手方向Ｄ１は、第三側面２ｅと第四側面２ｆとが対向する方向である。短手方向Ｄ２は、第一側面２ｃと第二側面２ｄとが対向する方向である。
【００２１】
素体２は、図２に示されるように、複数の誘電体層４と複数の内部電極とが積層されることによって形成されている。各誘電体層４はたとえば誘電体セラミック（ＢａＴｉＯ３系、Ｂａ(Ｔｉ，Ｚｒ)Ｏ３系、又は（Ｂａ，Ｃａ）ＴｉＯ３系などの誘電体セラミック）を含むセラミックグリーンシートの焼結体から構成される。実際の積層コンデンサアレイ１では、各誘電体層４は、互いの間の境界が視認できない程度に一体化されている。
【００２２】
複数の端子電極３は、複数の第一端子電極（本実施形態では、一対の第一端子電極）３ａ，３ｂと複数の第二端子電極（本実施形態では、一対の第二端子電極）３ｃ，３ｄとを含んでいる。各端子電極３ａ，３ｂ，３ｃ，３ｄは、たとえば導電性金属粉末及びガラスフリットを含む導電性ペーストを素体２の外表面に付与し、焼き付けることによって形成される。一対の第一端子電極３ａ，３ｂには、第一極性が割り当てられる。一対の第二端子電極３ｃ，３ｄには、第一極性とは逆である第二極性が割り当てられる。
【００２３】
一対の第一端子電極３ａ，３ｂは、長手方向Ｄ１に互いに離れて第一側面２ｃに配置されている。第一端子電極３ａと第一端子電極３ｂとは、素体２の外表面上において互いに絶縁されている。第一端子電極３ａは第三側面２ｅ寄りに位置し、第一端子電極３ｂは第四側面２ｆ寄りに位置している。一対の第二端子電極３ｃ，３ｄは、長手方向Ｄ１に互いに離れて第二側面２ｄに配置されている。第二端子電極３ｃと第二端子電極３ｄとは、素体２の外表面上において互いに絶縁されている。第二端子電極３ｃは第三側面２ｅ寄りに位置し、第二端子電極３ｄは第四側面２ｆ寄りに位置している。
【００２４】
素体２は、第一コンデンサ部Ｃ１と、第二コンデンサ部Ｃ２と、を有している。第一コンデンサ部Ｃ１は、複数の内部電極として、第一内部電極５と第二内部電極６とを含んでいる。第一内部電極５と第二内部電極６とは、少なくとも一層の誘電体層４を介して互いに対向して配置されている。第二コンデンサ部Ｃ２は、複数の内部電極として、第三内部電極７と第四内部電極８とを含んでいる。第三内部電極７と第四内部電極８とは、少なくとも一層の誘電体層４を介して互いに対向して配置されている。
【００２５】
第一コンデンサ部Ｃ１と第二コンデンサ部Ｃ２とは、素体２の積層方向Ｄ３で併置されている。第二コンデンサ部Ｃ２は、第一コンデンサ部Ｃ１よりも第一主面２ａ側に位置している。第二コンデンサ部Ｃ２の静電容量は、第一コンデンサ部Ｃ１の静電容量よりも小さく設定されている。具体的には、第二コンデンサ部Ｃ２における第三内部電極７と第四内部電極８との積層数が、第一コンデンサ部Ｃ１における第一内部電極５と第二内部電極６との積層数よりも少なく設定されることにより、第二コンデンサ部Ｃ２の静電容量が、第一コンデンサ部Ｃ１の静電容量よりも小さく設定されている。
【００２６】
第一内部電極５は、図３の（ａ）に示されるように、矩形状を呈する主電極部５ａと、主電極部５ａから第一側面２ｃに臨むように延びる引出部５ｂと、を含んでいる。引出部５ｂは、主電極部５ａにおける第三側面２ｅ側の一の角部の近傍に位置している。引出部５ｂは、第一側面２ｃまで引き出され、第一端子電極３ａに電気的且つ物理的に接続されている。したがって、第一内部電極５は、第一極性となる。
【００２７】
第二内部電極６は、図３の（ｂ）に示されるように、主電極部５ａと積層方向Ｄ３で対向し且つ矩形状を呈する主電極部６ａと、主電極部６ａから第二側面２ｄに臨むように延びる引出部６ｂと、を含んでいる。引出部６ｂは、第一内部電極５と第二内部電極６とを積層した状態で積層方向Ｄ３から見て、主電極部６ａにおける、主電極部５ａにおける引出部５ｂが近傍に位置する角部と対角にある角部の近傍に位置している。引出部６ｂは、第二側面２ｄまで引き出され、第二端子電極３ｄに電気的且つ物理的に接続される。したがって、第二内部電極６は、第二極性となる。
【００２８】
第一内部電極５（主電極部５ａ）の面積は、第二内部電極６（主電極部６ａ）の面積よりも大きく設定されており、主電極部６ａの外輪郭は、主電極部５ａの外輪郭の内側に位置している。すなわち、積層方向Ｄ３から見て、主電極部６ａは、その全面にわたって、主電極部５ａと対向している。
【００２９】
第三内部電極７は、図４の（ａ）に示されるように、矩形状を呈する主電極部７ａと、主電極部７ａから第一側面２ｃに臨むように延びる引出部７ｂと、を含んでいる。引出部７ｂは、主電極部７ａにおける第四側面２ｆ側の一の角部の近傍に位置している。積層方向Ｄ３から見て、主電極部５ａにおける引出部５ｂが近傍に位置する角部と、主電極部７ａにおける引出部７ｂが近傍に位置する角部と、は、隣り合っている。引出部７ｂは、第一側面２ｃまで引き出され、第一端子電極３ｂに電気的且つ物理的に接続されている。したがって、第三内部電極７は、第一極性となる。
【００３０】
第四内部電極８は、図４の（ｂ）に示されるように、主電極部７ａと積層方向Ｄ３で対向し且つ矩形状を呈する主電極部８ａと、主電極部８ａから第二側面２ｄに臨むように延びる引出部８ｂと、を含んでいる。引出部８ｂは、第三内部電極７と第四内部電極８とを積層した状態で積層方向Ｄ３から見て、主電極部８ａにおける、主電極部７ａにおける引出部７ｂが近傍に位置する角部と対角にある角部の近傍に位置している。引出部８ｂは、第二側面２ｄまで引き出され、第二端子電極３ｃに電気的且つ物理的に接続される。したがって、第四内部電極８は、第二極性となる。
【００３１】
第三内部電極７（主電極部７ａ）の面積は、第四内部電極８（主電極部８ａ）の面積よりも大きく設定されており、主電極部８ａの外輪郭は、主電極部７ａの外輪郭の内側に位置している。すなわち、積層方向Ｄ３から見て、主電極部８ａは、その全面にわたって、主電極部７ａと対向している。
【００３２】
本実施形態では、第一コンデンサ部Ｃ１に含まれる第一及び第二内部電極５，６のうち第二コンデンサ部Ｃ２に最も近い内部電極が第一内部電極５であり、第二コンデンサ部Ｃ２に含まれる第三及び第四内部電極７，８のうち第一コンデンサ部Ｃ１に最も近い内部電極が第三内部電極７である。したがって、同じ第一極性となる、第一内部電極５と第三内部電極７とが積層方向Ｄ３で隣り合うこととなる。積層方向Ｄ３で隣り合う第一内部電極５と第三内部電極７との間隔Ｔは、第一コンデンサ部Ｃ１における第一内部電極５と第二内部電極６との間隔Ｔ１及び第二コンデンサ部Ｃ２における第三内部電極７と第四内部電極８との間隔Ｔ２よりも大きく設定されている。
【００３３】
ここで、第一極性が＋極性であり、第二極性が−極性であるとする。この場合、第一コンデンサ部Ｃ１（第一及び第二内部電極５，６）においては、図３に示されるように、第一端子電極３ａから第二端子電極３ｄに向かう方向Ａ１に電流が流れる。また、図4に示されるように、第二コンデンサ部Ｃ２（第三及び第四内部電極７，８）においては、第一端子電極３ｂから第二端子電極３ｃに向かう方向Ａ２に電流が流れる。第一コンデンサ部Ｃ１における電流の向き（Ａ１）と第二コンデンサ部Ｃ２における電流の向き（Ａ２）とは、積層方向Ｄ３から見て交差している。
【００３４】
本実施形態において、より一層広い周波数帯域においてインピーダンスを抑制することが可能であることを確認するために、本実施形態に係る積層コンデンサアレイと比較例に係る積層コンデンサアレイとを用いて、下記の比較試験を行った。
【００３５】
本比較試験では、本実施形態に係る積層コンデンサアレイとして、上述した構成を備えた積層コンデンサアレイ１を用意し、比較例に係る積層コンデンサアレイとして、特許文献１の図１に示された構成を備える積層コンデンサアレイ１０１を用意した。積層コンデンサアレイ１０１は、素体の長手方向に併置された第一コンデンサ部と第二コンデンサ部とを有しており、第一コンデンサ部は端子電極１０３ａと端子電極１０３ｃとに接続され、第二コンデンサ部は端子電極１０３ｂと端子電極１０３ｄとに接続されている。したがって、積層コンデンサアレイ１０１では、各コンデンサ部を流れる電流の向きＡ１０１，Ａ１０２は、交差することなく互いに平行である。積層コンデンサアレイ１の第一コンデンサ部Ｃ１の静電容量と積層コンデンサアレイ１０１の第一コンデンサ部の静電容量とは同じに設定し、積層コンデンサアレイ１の第二コンデンサ部Ｃ２の静電容量と積層コンデンサアレイ１０１の第二コンデンサ部の静電容量とは同じに設定した。
【００３６】
そして、用意した各積層コンデンサアレイ１，１０１を、図５の（ａ）及び（ｂ）に示されるように、線路９ａ，９ｂ，１０ａ，１０ｂを備える配線回路に接続し、各積層コンデンサアレイ１，１０１の挿入損失を計測した。各積層コンデンサアレイ１，１０１の挿入損失の計測結果を図６に示す。配線回路において、線路１０ａ，１０ｂは接地されている。
【００３７】
積層コンデンサアレイ１は、第一コンデンサ部Ｃ１が線路９ａと線路１０ｂとの間に挿入されると共に第二コンデンサ部Ｃ２が線路９ｂと線路１０ａとの間に挿入されるように、配線回路に接続されている。すなわち、第一端子電極３ａが線路９ａに接続され、第二端子電極３ｄが線路１０ｂに接続されている。第一端子電極３ｂが線路９ｂに接続され、第二端子電極３ｃが線路１０ａに接続されている。積層コンデンサアレイ１０１は、第一コンデンサ部が線路９ａと線路１０ａとの間に挿入されると共に第二コンデンサ部が線路９ｂと線路１０ｂとの間に挿入されるように、配線回路に接続されている。すなわち、第一端子電極１０３ａが線路９ａに接続され、第二端子電極１０３ｃが線路１０ａに接続されている。第一端子電極１０３ｂが線路９ｂに接続され、第二端子電極１０３ｄが線路１０ｂに接続されている。
【００３８】
図６に示されるように、積層コンデンサアレイ１０１の第一コンデンサ部は、自己共振周波数Ｆ１０１を有し、特性Ｌ１０１で示される挿入損失を有する。積層コンデンサアレイ１０１の第二コンデンサ部は、第一コンデンサ部よりも静電容量が小さいため、自己共振周波数Ｆ１０１よりも高い自己共振周波数Ｆ１０２を有し、特性Ｌ１０２で示される挿入損失を有する。
【００３９】
これに対して、積層コンデンサアレイ１の第一コンデンサ部Ｃ１は、同じく図６に示されるように、自己共振周波数Ｆ１を有し、特性Ｌ１で示される挿入損失を有する。積層コンデンサアレイ１の第二コンデンサ部Ｃ２は、第一コンデンサ部Ｃ１よりも静電容量が小さいため、自己共振周波数Ｆ１よりも高い自己共振周波数Ｆ２を有し、特性Ｌ２で示される挿入損失を有する。
【００４０】
積層コンデンサアレイ１では、各内部電極５〜８と各端子電極３ａ〜３ｄとの接続に関し、第一コンデンサ部Ｃ１における電流の向きＡ１と第二コンデンサ部Ｃ２における電流の向きＡ２とが積層方向Ｄ３から見て交差するように、第一内部電極５と第三内部電極７はそれぞれ異なる第一端子電極３ａ，３ｂに接続され、第二内部電極６と第四内部電極８とはそれぞれ異なる第二端子電極３ｃ，３ｄに接続されている。第一及び第二コンデンサ部Ｃ１，Ｃ２に流れる電流の向きＡ１，Ａ２が交差することにより、各電流による磁界が互いに相殺する方向に生じる。これにより、積層コンデンサアレイ１のＥＳＬが低減され、自己共振周波数Ｆ１が自己共振周波数Ｆ１０１よりも高周波側にシフトし、自己共振周波数Ｆ２が自己共振周波数Ｆ１０２よりも高周波側にシフトする。また、挿入損失の特性Ｌ１と挿入損失の特性Ｌ１０１との比較及び挿入損失の特性Ｌ２と挿入損失の特性Ｌ１０２との比較からも分かるように、積層コンデンサアレイ１は積層コンデンサアレイ１０１よりもインピーダンスが小さい。
【００４１】
以上のように、本実施形態では、たとえば、第一及び第二コンデンサ部Ｃ１，Ｃ２を並列に接続する場合、第一及び第二コンデンサ部Ｃ１，Ｃ２の静電容量が互いに異なるので、積層コンデンサアレイ１として２つの自己共振周波数Ｆ１，Ｆ２を有することとなる。よって、積層コンデンサアレイ１では、広い周波数帯域においてインピーダンスを抑制することができる。そして、積層コンデンサアレイ１では、上述したように、積層コンデンサアレイ１のＥＳＬが低減され、２つの自己共振周波数Ｆ１，Ｆ２がより高周波側にシフトすると共にインピーダンスが小さくなる。よって、積層コンデンサアレイ１では、より一層広い周波数帯域においてインピーダンスを抑制することができる。
【００４２】
積層コンデンサアレイ１では、長手方向Ｄ１に互いに離れて第一側面２ｃに配置された一対の第一端子電極３ａ，３ｂに、第一極性が割り当てられ、長手方向Ｄ１に互いに離れて第二側面２ｄに配置された一対の第二端子電極３ｃ，３ｄに、第二極性が割り当てられる。したがって、積層コンデンサアレイ１の小型化により端子電極間の距離が短くなっても、積層コンデンサアレイ１の実装時におけるショート不良を防止することができる。
【００４３】
積層コンデンサアレイ１では、第一コンデンサ部Ｃ１に含まれる第一及び第二内部電極５，６のうち第二コンデンサ部Ｃ２に最も近い内部電極（第一内部電極５）と、第二コンデンサ部Ｃ２に含まれる第三及び第四内部電極７，８のうち第一コンデンサ部Ｃ１に最も近い内部電極（第三内部電極７）と、の間隔Ｔは、第一コンデンサ部Ｃ１における第一内部電極５と第二内部電極６との間隔Ｔ１及び第二コンデンサ部Ｃ２における第三内部電極７と第四内部電極８との間隔Ｔ２よりも大きく設定されている。これにより、第一コンデンサ部Ｃ１と第二コンデンサ部Ｃ２とが分離されることとなる。よって、積層コンデンサアレイ１では、より広い周波数帯域においてインピーダンスを確実に抑制することができる。
【００４４】
積層コンデンサアレイ１では、第一コンデンサ部Ｃ１の第一内部電極５と第二コンデンサ部Ｃ２の第三内部電極７とが積層方向で隣り合っている。これにより、同じ極性となる内部電極５，７同士が積層方向で隣り合うため、第一コンデンサ部Ｃ１と第二コンデンサ部Ｃ２とがより一層確実に分離される。よって、積層コンデンサアレイ１では、より広い周波数帯域においてインピーダンスをより一層確実に抑制することができる。
【００４５】
積層コンデンサアレイ１では、第一内部電極５の面積が第二内部電極６の面積よりも大きく、且つ、第三内部電極７の面積が第四内部電極８の面積よりも大きく設定されている。これにより、積層ずれなどに起因して生じる静電容量のばらつきを抑制することができる。特に、第一コンデンサ部Ｃ１の第一内部電極５と第二コンデンサ部Ｃ２の第三内部電極７とが積層方向で隣り合う場合には、第一コンデンサ部Ｃ１と第二コンデンサ部Ｃ２とをより一層確実に分離することができる。
【００４６】
ところで、積層コンデンサアレイ１では、第一主面２ａが実装面として規定されている。したがって、積層コンデンサアレイ１は、図７に示されるように、たとえば、回路基板などの他の部品２０に実装されている。他の部品２０は、ランド電極２０ａ〜２０ｄを備えている。第一端子電極３ａはランド電極２０ａに接続され、第一端子電極３ｂはランド電極２０ｂに接続され、第二端子電極３ｃはランド電極２０ｃに接続され、第二端子電極３ｄはランド電極２０ｄに接続されている。
【００４７】
積層コンデンサアレイ１では、第二コンデンサ部Ｃ２が、第一コンデンサ部Ｃ１よりも第一主面２ａ側、すなわち実装面側に位置している。このため、第二コンデンサ部Ｃ２に流れる電流により形成される電流ループの距離が短くなり、積層コンデンサアレイ１のＥＳＬ、特に、第二コンデンサ部Ｃ２のＥＳＬが低減されることとなる。この結果、積層コンデンサアレイ１では、より一層広い周波数帯域においてインピーダンスを抑制することができる。
【００４８】
以上、本発明の好適な実施形態について説明してきたが、本発明は必ずしも上述した実施形態に限定されるものではなく、その要旨を逸脱しない範囲で様々な変更が可能である。
【００４９】
たとえば、図８に示される、本実施形態の変形例に係る積層コンデンサアレイ１のように、第一コンデンサ部Ｃ１に含まれる第一及び第二内部電極５，６のうち第二コンデンサ部Ｃ２に最も近い内部電極が第二内部電極６であり、第二コンデンサ部Ｃ２に含まれる第三及び第四内部電極７，８のうち第一コンデンサ部Ｃ１に最も近い内部電極が第三内部電極７であってもよい。この場合、異なる極性同士の、第二内部電極６と第三内部電極７とが積層方向Ｄ３で隣り合うこととなる。
【００５０】
また、図９に示される、本実施形態の変形例に係る積層コンデンサアレイ１のように、第一コンデンサ部Ｃ１に含まれる第一及び第二内部電極５，６のうち第二コンデンサ部Ｃ２に最も近い内部電極が第二内部電極６であり、第二コンデンサ部Ｃ２に含まれる第三及び第四内部電極７，８のうち第一コンデンサ部Ｃ１に最も近い内部電極が第四内部電極８であってもよい。この場合、同じ極性となる、第二内部電極６と第四内部電極８とが積層方向Ｄ３で隣り合うこととなる。
【００５１】
本実施形態に係る積層コンデンサアレイ１では、第二コンデンサ部Ｃ２が第一コンデンサ部Ｃ１よりも第一主面２ａ側に位置しているが、第一コンデンサ部Ｃ１が第二コンデンサ部Ｃ２よりも第一主面２ａ側に位置していてもよい。
【００５２】
各内部電極５〜８の形状や積層数などは、上述した実施形態及び変形例に限られない。また、第一コンデンサ部Ｃ１に含まれる第一及び第二内部電極５，６のうち第二コンデンサ部Ｃ２に最も近い内部電極、及び、第二コンデンサ部Ｃ２に含まれる第三及び第四内部電極７，８のうち第一コンデンサ部Ｃ１に最も近い内部電極が、他の内部電極よりも面積が大きくてもよい。この場合には、第一コンデンサ部Ｃ１と第二コンデンサ部Ｃ２とをより一層確実に分離することができる。
【符号の説明】
【００５３】
１…積層コンデンサアレイ、２…素体、２ａ…第一主面、２ｂ…第二主面、２ｃ…第一側面、２ｄ…第二側面、３ａ，３ｂ…第一端子電極、３ｃ，３ｄ…第二端子電極、４…誘電体層、５…第一内部電極、６…第二内部電極、７…第三内部電極、８…第四内部電極、Ｃ１…第一コンデンサ部、Ｃ２…第二コンデンサ部。
【図１】
0005870674.tif 000002
【図２】
0005870674.tif 000003
【図３】
0005870674.tif 000004
【図４】
0005870674.tif 000005
【図５】
0005870674.tif 000006
【図６】
0005870674.tif 000007
【図７】
0005870674.tif 000008
【図８】
0005870674.tif 000009
【図９】
0005870674.tif 000010